(57)【要約】【課題】植付け条間の相違にかかわらずとうもろこし植物体を収穫物搬送経路に導入し易くできるように、デバイダの機体横外側への突出を抑制したり、デバイダの見通し易くしたりできるようにする。【解決手段】機体横外端のデバイダ部１２を、主デバイダ３１と、収納状態と使用状態に切換え自在な延長デバイダ３５とを備えて構成してある。使用状態での延長デバイダ３５は、主デバイダ３１を機体横外側に斜め前方に延長する状態で主デバイダ３１に支持されて、主デバイダ３１に対して機体横外側に位置する植立状態のとうもろこし植物体を主デバイダ３１に導入する。収納状態での延長デバイダ３５は、主デバイダ３１の延長を解除して、主デバイダ３１による植立状態のとうもろこし植物体の導入を行なわせる。【選択図】図８
2013165667.tif 000002
【特許請求の範囲】
【請求項１】
機体横方向に並ぶ複数の機体前後向きの収穫物搬送経路、及び前記複数の収穫物搬送経路に植立状態のとうもろこし植物体を案内するように、前記複数の収穫物搬送経路の入口の両横側に一つずつ配置したデバイダ部を備えたとうもろこし収穫機の収穫前処理装置であって、
前記複数のデバイダ部のうちの機体横外端のデバイダ部を、収穫前処理装置のフレーム側に支持される主デバイダと、収納状態と使用状態に切換え自在な延長デバイダとを備えて構成し、
前記使用状態での前記延長デバイダは、前記主デバイダを機体横外側に斜め前方に延長する状態で前記主デバイダに支持されて、前記主デバイダに対して機体横外側に位置する植立状態のとうもろこし植物体を前記主デバイダに導入するように構成し、
前記収納状態での前記延長デバイダは、前記主デバイダの延長を解除して、前記主デバイダによる植立状態のとうもろこし植物体の導入を行なわせるように構成してあるとうもろこし収穫機の収穫前処理装置。
【請求項２】
前記機体横外端のデバイダ部が前記複数のデバイダ部の両横端のデバイダ部である請求項１記載のとうもろこし収穫機の収穫前処理装置。
【請求項３】
前記収納状態での前記延長デバイダは、前記主デバイダの内側に引退した状態で前記主デバイダに支持されるように構成してある請求項１又は２記載のとうもろこし収穫機の収穫前処理装置。
【請求項４】
前記延長デバイダを前記使用状態で支持する使用支持部と前記収納状態で支持する収納支持部を、前記主デバイダに設け、
前記使用支持部と前記収納支持部に前記延長デバイダを付け替えるように構成してある請求項３記載のとうもろこし収穫機の収穫前処理装置。
【請求項５】
前記収納状態での前記延長デバイダは、前記主デバイダの底面に沿った取り付け姿勢で当該底面に支持されるように構成してある請求項３又は４記載のとうもろこし収穫機の収穫前処理装置。
【請求項６】
前記使用状態での前記延長デバイダは、前記主デバイダの底面から当該底面に沿う方向に延出するように構成してある請求項１〜５のいずれか一項に記載のとうもろこし収穫機の収穫前処理装置。
【請求項７】
前記延長デバイダを、前記使用状態での横幅が上下幅より大となる形状を備えて構成してある請求項１〜６のいずれか一項に記載のとうもろこし収穫機の収穫前処理装置。
【請求項８】
前記複数の収穫物搬送経路として、３つの収穫物搬送経路を備えてある請求項１〜７のいずれか一項に記載のとうもろこし収穫機の収穫前処理装置。
【発明の詳細な説明】
【技術分野】
【０００１】
本発明は、機体横方向に並ぶ複数の機体前後向きの収穫物搬送経路、及び前記複数の収穫物搬送経路に植立状態のとうもろこし植物体を案内するように、前記複数の収穫物搬送経路の入口の両横側に一つずつ配置したデバイダ部を備えたとうもろこし収穫機の収穫前処理装置に関する。
【背景技術】
【０００２】
従来、例えば特許文献１に示されるように、刈取装置の並列する分草板のうちの右クローラ側の分草板を、分草杆の先端に回動可能に取り付け、閉じ位置と、閉じ位置より横外側向きに回動した開き位置とに切換え自在に構成されたものがあった。
【先行技術文献】
【特許文献】
【０００３】
【特許文献１】特開２０１０−２２０５５２号公報
【発明の概要】
【発明が解決しようとする課題】
【０００４】
とうもろこし植物体にあっては、圃場によって異なる植付け条間で植え付けられることが多々あり、デバイダが一定位置に配備された収穫前処理装置の場合、植付け条間によっては、機体横端のデバイダとその前方に位置するとうもろこし植物体とが機体前後方向視で重なるとか、これに近い位置関係になり、デバイダがとうもろこし植物体の株元に突っ込みやすいとか、突っ込みの発生を回避するよう注意深く監視しながら機体操縦せねばならない問題があった。
上記した従来の技術を適用して、デバイダの先端側を機体横方向に位置変更できるよう構成し、植付け条間が異なる場合、デバイダの先端側をとうもろこし植物体の横外側を移動していくように横外側に位置変更することによって、上記した問題の発生を回避し、そして、デバイダの先端側を極力内側に位置するように位置変更することによって、デバイダの横外側への突出を抑制することが考えられる。
しかし、従来の技術を適用した場合、デバイダを回動自在に支持させることによって、デバイダの先端側を機体横方向に位置変更するものだから、デバイダの先端側を横外側に位置変更した際、デバイダの先端が横外側に移動していることに加え、横外側に移動した先端と先端側を機体内側に位置変更した際のデバイダの先端とが同じ又はほぼ同じ機体前後方向位置に位置することにより、デバイダの先端側を後方から見通し難くなりがちであった。
【０００５】
本発明の目的は、上記した問題の発生を回避することも、デバイダの横外側への突出を抑制することもできるものでありながら、デバイダの見通しが良いとうもろこし収穫機の収穫前処理装置を提供することにある。
【課題を解決するための手段】
【０００６】
本第１発明は、機体横方向に並ぶ複数の機体前後向きの収穫物搬送経路、及び前記複数の収穫物搬送経路に植立状態のとうもろこし植物体を案内するように、前記複数の収穫物搬送経路の入口の両横側に一つずつ配置したデバイダ部を備えたとうもろこし収穫機の収穫前処理装置において、
前記複数のデバイダ部のうちの機体横外端のデバイダ部を、収穫前処理装置のフレーム側に支持される主デバイダと、収納状態と使用状態に切換え自在な延長デバイダとを備えて構成し、
前記使用状態での前記延長デバイダは、前記主デバイダを機体横外側に斜め前方に延長する状態で前記主デバイダに支持されて、前記主デバイダに対して機体横外側に位置する植立状態のとうもろこし植物体を前記主デバイダに導入するように構成し、
前記収納状態での前記延長デバイダは、前記主デバイダの延長を解除して、前記主デバイダによる植立状態のとうもろこし植物体の導入を行なわせるように構成してある。
【０００７】
本第１発明の構成によると、延長デバイダを使用状態にすることにより、主デバイダを延長デバイダによって機体横外側に斜め前方に延長して、延長デバイダの先端で成るデバイダ部の先端を主デバイダの先端よりも機体横外側に、かつ機体前方側に位置させ、主デバイダと機体前後方向に重なる位置やその付近に位置するとうもろこし植物体の横外側をデバイダ部の先端側が移動していくようにできる。この場合、主デバイダの延長により、延長デバイダの先端で成るデバイダ部の先端が主デバイダより機体前方側に位置し、デバイダ部の先端側を後方から見通し易い。
これに対し、延長デイダを収納状態にすることにより、主デバイダ部の延長を解除して、主デバイダの先端で成るデバイダ部の先端を、使用状態の延長デバイダの先端で成るデバイダ部の先端より機体内側に位置させることができる。
【０００８】
従って、本第１発明によると、とうもろこし植物体の植付け条間によっては、主デバイダの延長デバイダによる延長により、とうもろこし植物体に対するデバイダの突っ込みを回避することが可能となり、主デバイダの延長の解除により、デバイダ部の横外側への突出を抑制して操縦を容易化するなどが可能となる。しかも、とうもろこし植物体に対するデバイダの突っ込みを回避する際、デバイダ部の先端側を後方から見通し易くて操縦し易いなど作業を行い易い。
【０００９】
本第２発明では、前記機体横外端のデバイダ部が前記複数のデバイダ部の両横端のデバイダ部である。
【００１０】
本第２発明の構成によると、複数のデバイダ部の両横端のデバイダ部を、主デバイダを延長した状態と主デバイダの延長を解除した状態とに切換えることができる。
【００１１】
従って、本第２発明によると、両横端のいずれのデバイダ部を旋回内側に位置する状態とする回り刈り形態を採用して作業する場合であっても、とうもろこし植物体に対するデバイダ部の突っ込みを回避することも、デバイダ部の横外側への突出を抑制して操縦を容易化することもできる。
【００１２】
本第３発明は、前記収納状態での前記延長デバイダは、前記主デバイダの内側に引退した状態で前記主デバイダに支持されるように構成してある。
【００１３】
本第３発明の構成によると、延長デバイダを主デバイダに収納でき、かつ延長デバイダの収納状態から使用状態への切換えをデバイダ部付近での作業だけで行なうことができる。
【００１４】
従って、本第３発明によると、延長デバイダを主デバイダに収納して延長デバイダの携帯忘れや紛失を防止できるのみならず、延長デバイダの収納状態から使用状態への切換えをデバイダ部付近での作業だけで迅速に行なことができる。
【００１５】
本第４発明は、前記延長デバイダを前記使用状態で支持する使用支持部と前記収納状態で支持する収納支持部を、前記主デバイダに設け、
前記使用支持部と前記収納支持部に前記延長デバイダを付け替えるように構成してある。
【００１６】
本第４発明の構成によると、延長デバイダを使用状態と収納状態に切換え自在に主デバイダに支持させるのに、付け替え式の簡単な支持構造で出来る。
【００１７】
従って、本第４発明によると、延長デバイダの収納状態から使用状態への切換えをデバイダ部付近での作業だけで迅速に行なことができるものを、簡単な支持構造の採用によって安価に得ることができる。
【００１８】
本第５発明は、前記収納状態での前記延長デバイダは、前記主デバイダの底面に沿った取り付け姿勢で当該底面に支持されるように構成してある。
【００１９】
本第５発明の構成によると、延長デバイダを主デバイダの底面にコンパクトに収納して、収納状態の延長デバイダにとうもろこし植物体が引っ掛かるなどのトラブルの発生を回避し易い。
【００２０】
従って、本第５発明によると、延長デバイダの収納状態から使用状態への切換えをデバイダ部付近での作業だけで行なえるように延長デバイダを主デバイダに収納するものでありながら、延長デバイダの収納にかかわらずスムーズに作業できる。
【００２１】
本第６発明は、前記使用状態での前記延長デバイダは、前記主デバイダの底面から当該底面に沿う方向に延出するように構成してある。
【００２２】
本第６発明の構成によると、延長デバイダを主デバイダの底面とほぼ同じ配置高に位置させながら使用することができる。
【００２３】
従って、本第６発明によると、延長デバイダを使用状態にしても、収穫前処理装置を地面付近に下降させるのに延長デバイダによる障害を受けないなど、スムーズに作業できる。
【００２４】
本第７発明は、前記延長デバイダを、前記使用状態での横幅が上下幅より大となる形状を備えて構成してある。
【００２５】
本第７発明の構成によると、延長デバイダの所要強度を上下幅より大である横幅によって確保しながら、延長デバイダを主デバイダの底面に支持させるなど、極力低い対地高さで支持させても、上下幅が横幅より小であることにより、主デバイダを地面近くに位置させるのに延長デバイダが障害になり難い。
【００２６】
従って、本第７発明によると、延長デバイダの取付けにかかわらず、主デバイダを極力地面近くに位置させて主デバイダに分草機能を支障なく発揮させることができる。
【００２７】
本第８発明では、前記複数の収穫物搬送経路として、３つの収穫物搬送経路を備えてある。
【００２８】
本第８発明の構成によると、中央の収穫物搬送経路の中心付近にとうもろこし植物体が位置するように収穫前処理装置の条合わせを行うことにより、植付け条間が広くても、両横側のとうもろこし植物体が横外側の収穫物搬送経路の一対のデバイダ部の間に位置する状態を得やすく、とうもろこし植物体に対するデバイダ部の突っ込みやとうもろこし植物体の導入ミスを回避し易い。
【００２９】
従って、本第８発明によると、とうもろこし植物体の導入ミスや押し倒しが無い良好な収穫作業を行い易い。
【図面の簡単な説明】
【００３０】
【図１】とうもろこし収穫機の全体を示す側面図である。
【図２】とうもろこし収穫機の全体を示す平面図である。
【図３】とうもろこし収穫機の全体を示す正面図である。
【図４】収穫前処理装置の後部を示す縦断側面図である。
【図５】掻送り回転体を示す正面図である。
【図６】縮小状態での横外端のデバイダ部を示す平面図である。
【図７】縮小状態での横外端のデバイダ部を示す縦断側面図である。
【図８】拡大状態での横外端のデバイダ部を示す平面図である。
【図９】拡大状態での横外端のデバイダ部を示す縦断側面図である。
【図１０】延長デバイダを示す斜視図である。
【図１１】（ａ）は、横外端のデバイダ部を拡大状態にした収穫前処理装置の作業状態を示す概略正面図、（ｂ）は、横外端のデバイダ部を縮小状態にした収穫前処理装置の作業状態を示す概略正面図である。
【図１２】（ａ）は、別の実施構造を備える収穫前処理装置の前部であって、横外端のデバイダ部の拡大状態での収穫前処理装置の前部を示す概略正面図、（ｂ）は、別の実施構造を備える収穫前処理装置の前部であって、横外端のデバイダ部の縮小状態での収穫前処理装置の前部を示す概略正面図である。
【発明を実施するための形態】
【００３１】
以下、本発明の実施の形態を図面に基づいて説明する。
〔第１実施形態〕
図１は、本発明の実施例に係るとうもろこし収穫機の全体を示す側面図である。図２は、本発明の実施例に係るとうもろこし収穫機の全体を示す平面図である。図３は、本発明の実施例に係るとうもろこし収穫機の全体を示す正面図である。これらの図に示すように、本発明の実施例に係るとうもろこし収穫機は、左右一対の駆動自在な前車輪１，１と操向操作自在な後車輪２，２によって自走するように構成され、かつ、運転キャビン３ａが装備された運転部３、及び前車輪１に駆動力を伝達するエンジン４ａが装備された原動部４を有した走行機体と、走行機体の機体フレーム５の前部に連結された収穫前処理装置１０と、収穫前処理装置１０の後部の後側箇所から運転キャビン３ａの下方を通って原動部４の後方上方箇所に至る配置で走行機体に設けられたフィーダ６と、機体フレーム５の後部に設けられた回収タンク７と、前後輪間に配置して機体フレーム５に昇降操作自在に連結された残稈処理装置８とを備えて構成してある。
【００３２】
とうもろこし収穫機は、とうもろこしの収穫作業を行なう。
すなわち、収穫前処理装置１０は、機体フレーム５を構成する支柱フレーム５ａに昇降軸芯Ｐまわりに揺動昇降するように枢支され、昇降シリンダ１１による昇降操作により、収穫前処理装置１０の前端部に位置するデバイダ部１２，１３が地面付近に下降した下降作業状態と、デバイダ部１２，１３が地面から高く上昇した上昇作業状態とに昇降操作される。収穫前処理装置１０を下降作業状態に下降させて走行機体を走行させることにより、収穫前処理装置１０が植立状態のとうもろこし植物体から種子が棒状に連なって房になっているとうもろこしを収穫し、収穫前処理装置１０が収穫したとうもろこしをフィーダ６が後方に搬送して回収タンク７に供給し、回収タンク７がとうもろこしを回収して貯留し、残稈処理装置８がとうもろこし収穫済みの状態で圃場に植立状態で残るとうもろこし植物体の茎を破砕処理する。
【００３３】
収穫前処理装置１０について説明する。
図４は、収穫前処理装置１０の後部を示す縦断側面図である。図１〜４に示すように、収穫前処理装置１０は、機体フレーム５の支柱フレーム５ａから前方に上下揺動自在に延出するフレーム１４、このフレーム１４の前部に機体横方向に並べた設けた３つの機体前後向きの収穫物搬送経路１５、各収穫物搬送経路１５の入口１５ａの両横側に一つずつ配置したデバイダ部１２，１３、３つの収穫物搬送経路１５の後方に駆動回動自在に設けた横送りオーガ１６を備えて構成してある。
【００３４】
図２に示すように、複数のデバイダ部１２，１３のうちの内側のデバイダ部１３は、両隣の収穫物搬送経路１５，１５に共用のデバイダ部になっている。各収穫物搬送経路１５の両横側に、無端回動搬送チェーン１７、無端回動搬送チェーン１７の下方に配置した収穫ロール１８、無端回動搬送チェーン１７の上方に配置した搬送ケース１９を設けてある。無端回動搬送チェーン１７の搬送終端側が巻回するスプロケットを駆動自在に支持し、かつ収穫ロール１８の回転支軸の後端側を駆動自在に支持する駆動ケース２０（図４参照）を収穫物搬送経路１５の搬送終端側に設け、この駆動ケース２０によって無端回動搬送チェーン１７及び収穫ロール１８を駆動するよう構成してある。
【００３５】
図４に示すように、横送りオーガ１６の後方に位置する後壁２１に、横送りオーガ１６の機体横方向での中央部に対向するよう配置した送出口２２を設けてある。送出口２２は、フィーダ６を構成するフィーダケース６ａの上面側に設けた投入口６ｂの上方に位置している。フィーダケース６ａの上面側に、送出口２２からのとうもろこしを投入口６ｂに導入する案内縦板６ｃを設けてある。
【００３６】
従って、収穫前処理装置１０は、３つの収穫物搬送経路１５においてとうもろこし植物体からとうもろこしを収穫し、収穫したとうもろこしを横送りオーガ１６によってフィーダ６に供給する。
【００３７】
すなわち、３つの収穫物搬送経路１５それぞれの始端側に植立状態のとうもろこし植物体をデバイダ部１２，１３によって導入し、導入されたとうもろこし植物体は、収穫物搬送経路１５を後方（終端側）に移動する。とうもろこし植物体のうちのとうもろこしは、無端回動搬送チェーン１７及び搬送ケース１９の上側を移動する。収穫物搬送経路１５の両横側に分かれて位置する一対の収穫ロール１８，１８が、とうもろこし植物体の茎を挟んで引き下げ操作し、無端回動搬送チェーン１７及び搬送ケース１９によって受け止め支持されるとうもろこしをとうもろこし植物体から引き千切って分離させる。とうもろこし植物体から分離したとうもろこしを、無端回動搬送チェーン１７の搬送突起１７ａによる係止搬送作用によって後方に搬送して収穫物搬送経路１５の搬送終端部から後方に送り出す。３つの収穫物搬送経路１５から送り出されたとうもろこしを、横送りオーガ１６によって搬送底板２３（図４参照）に沿わせて横送りオーガ１６の中央部に向けて横送りする。横送りオーガ１６の中部に到達したとうもろこしを、横送りオーガ１６に一体回転自在に設けてある掻送り羽根２４（図４参照）による掻き送りにより、送出口２２から後方に送り出してフィーダ６の投入口６ｂからフィーダコンベヤ６ｄに供給する。
【００３８】
図４に示すように、送出口２２の後側の上方に、掻送り回転体２５を駆動自在に設けてある。図５は、掻送り回転体２５を示す正面図である。図４，５に示すように、掻送り回転体２５は、伝動軸２６に一体回転自在に装着した一対の連結部材２５ａ，２５ａと、伝動軸２６の回転方向に分散配置して一対の連結部材２５ａ，２５ａに連結した一対の掻送り羽根２５ｂ，２５ｂとを備えて構成してある。伝動軸２６は、収穫前処理装置１０のフレーム１４を構成する左右一対の縦板形の連結フレーム２７，２７に横架されており、連結フレーム２７の横外側に位置する中継スプロケット２８及び伝動チェーン２９を介して伝達されるエンジン４ａからの駆動力を、フレーム１４の横一端側の外部に位置する端部に入力し、フレーム１４の横他端側の外部に位置する端部から横送りオーガ１６、無端回動搬送チェーン１７及び収穫ロール１８の駆動ケース２０に伝達するよう構成してある。
【００３９】
掻送り回転体２５は、駆動軸としての伝動軸２６によって回転方向Ａ（図４参照）に駆動され、送出口２２から送り出された切れ茎や切れ葉を解し処理しながらフィーダ６の投入口６ｂに送り込み、送出口２２の後側における切れ茎などの詰まり発生を防止する。
【００４０】
図６は、複数のデバイダ部１２，１３のうちの機体横外端のデバイダ部１２（以下、横端デバイダ部１２と呼称する。）であって、縮小状態での横端デバイダ部１２を示す平面図である。図７は、縮小状態での横端デバイダ部１２を示す縦断側面図である。図８は、拡大状態での横端デバイダ部１２を示す平面図である。図９は、拡大状態での横端デバイダ部１２を示す縦断側面図である。これらの図に示すように、横端デバイダ部１２は、主デバイダ３１と延長デバイダ３５とを備えて構成してある。この横端デバイダ部１２は、回り刈り形態での作業時に旋回内側に位置されるデバイダである。
【００４１】
主デバイダ３１は、平面視形状及び側面視形状が搬送ケース１９の前端側に滑らかに連なる先細りの三角形状になるように曲げ成形された板金部材によって構成してある。主デバイダ３１は、収穫前処理装置１０のフレーム側に支持されている。詳述すると、主デバイダ３１は、無端回動搬送チェーン１７及び収穫ロール１８を支持するよう構成してフレーム１４に備えられた搬送フレーム１４ａ（図４参照）の先端側に固定状態で支持されている。
【００４２】
図１０は、延長デバイダ３５を示す斜視図である。この図に示すように、延長デバイダ３５は、基端側に設けられた連結部３６を備えている。図８，９に示すように、連結部３６を主デバイダ３１の底面３１ａに設けられた使用支持部３２に取り付けて支持させることにより、使用状態になる。使用状態になった延長デバイダ３５は、主デバイダ３１から機体横外側向き及び機体前方向きに突出する先端側部３７によって主デバイダ３１を機体横外側に斜め前方に延長し、主デバイダ３１に対して機体横外側に位置する植立状態のとうもろこし植物体を主デバイダ３１に導入するよう構成してある。使用状態での延長デバイダ３５は、主デバイダ３１の底面３１ａから当該底面３１ａに沿う方向に延出する取り付け状態で使用支持部３２に支持される。使用状態での延長デバイダ３５の形状は、横幅Ｗが上下幅Ｈより大となる形状になる。
【００４３】
図６，７に示すように、延長デバイダ３５は、連結部３６を主デバイダ３１の底面３１ａに設けた収納支持部３３に取り付けて支持させることにより、収納状態になる。収納状態になった延長デバイダ３５は、主デバイダ３１の延長を解除し、主デバイダ３１による植立状態のとうもろこし植物体の導入を行なわせるよう構成してある。収納状態になった延長デバイダ３５は、主デバイダ３１から両横側及び前方に突出しないように主デバイダ３１の機体横方向での内側に引退した状態になる。収納状態での延長デバイダ３５の先端側部３７は、主デバイダ３１から後方向きに搬送ケース１９の下方に延出する。収納状態の延長デバイダ３５は、主デバイダ３１の底面３１ａに沿った取り付け姿勢で収納支持部３３に支持される。
【００４４】
延長デバイダ３５の連結部３６は、一対のボルト孔３６ａ，３６ａを備え、当該一対のボルト孔３６ａ，３６ａと主デバイダ３１の使用支持部３２に設けた一対のボルト孔３２ａ，３２ａとに連結ボルト３９を装着することによって使用支持部３２に連結できるように構成してある。延長デバイダ３５の連結部３６は、当該連結部３６の一方のボルト孔３６ａと主デバイダ３１の収納支持部３３に設けたボルト孔３３ａとに連結ボルト３９を装着することによって収納支持部３３に連結できるように構成してある。つまり、延長デバイダ３５を主デバイダ３１の使用支持部３２と収納支持部３３に付け替えて使用及び収納するように構成してある。使用支持部３２及び収納支持部３３には、共用の連結ボルト３９を装着するよう構成してある。
【００４５】
図８，９に示すように、横端デバイダ部１２は、延長デバイダ３５を使用状態に切換えることにより、植立状態のとうもろこし植物体を延長デバイダ３５及び主デバイダ３１によって収穫物搬送経路１５に導入するよう拡大状態になる。
【００４６】
図６，７に示すように、横端デバイダ部１２は、延長デバイダ３５を収納状態に切換えることにより、植立状態のとうもろこし植物体を主デバイダ３１だけで収穫物搬送経路１５に導入するよう縮小状態になる。
【００４７】
従って、図１１（ａ）に横端デバイダ部１２を拡大状態にした収穫前処理装置１０の作業状態を示すように、とうもろこし植物体の植付け条間Ｂの大きさによっては、横端デバイダ部１２を拡大状態に切換えることにより、収穫対象のとうもろこし植物体のうちの横端デバイダ部１２によって収穫物搬送経路１５に導入するべきとうもろこし植物体４０と横端デバイダ部１２の先端（延長デバイダ３５の先端）との機体横方向間隔Ｓを大にし、植付け条間Ｂの大きさにかかわらず横端のとうもろこし植物体４０を収穫物搬送経路１５に導入し易い状態で作業できる。
【００４８】
図１１（ｂ）に横端デバイダ部１２を縮小状態にした収穫前処理装置１０の作業状態を示すように、とうもろこし植物体の植付け条間Ｂの大きさによっては、横端デバイダ部１２を縮小状態に切換えても、収穫対象のとうもろこし植物体のうちの横端デバイダ部１２によって収穫物搬送経路１５に導入するべきとうもろこし植物体４０と横端デバイダ部１２の先端（主デバイダ３１の先端）との機体横方向間隔が大になり、横端デバイダ部１２の横外側への突出を抑制しながらとうもろこし植物体４０を収穫物搬送経路１５に導入し易い状態で作業できる。
【００４９】
複数のデバイダ部１２，１３のうちの横端デバイダ部１２を除くデバイダ部１３は、一つのデバイダによって構成してある。このデバイダは、平面視形状及び側面視形状が搬送ケース１９の前端側に滑らかに連なる先細りの三角形状になるように曲げ成形された板金部材によって構成してある。このデバイダは、無端回動搬送チェーン１７及び収穫ロール１８を支持するよう構成してフレーム１４に備えられた搬送フレーム１４ａの先端側に固定状態で支持されるよう構成してある。
【００５０】
〔第２実施形態〕
図１２（ａ）は、別の実施構造を備える収穫前処理装置１０の前部であって、横端デバイダ部１２の拡大状態での収穫前処理装置１０の前部を示す概略正面図である。図１２（ｂ）は、別の実施構造を備える収穫前処理装置１０の前部であって、横端デバイダ部１２の縮小状態での収穫前処理装置１０の前部を示す概略正面図である。これらの図に示すように、別の実施構造を備える収穫前処理装置１０では、複数のデバイダ部１２，１３のうちの両横外端のデバイダ部１２が第１実施形態の横端デバイダ部１２と同じ構成を備えている。
【００５１】
すなわち、両横外端のデバイダ部１２は、主デバイダ３１と延長デバイダ３５とを備えて構成してある。
【００５２】
主デバイダ３１は、第１実施形態の主デバイダ３１と同じ構成を備え、収穫前処理装置１０のフレーム側に固定状態で支持されている。延長デバイダ３５は、第１実施形態の延長デバイダ３５と同じ構成を備え、主デバイダ３１を機体横外側に斜め前方に延長した使用状態と、主デバイダ３１の延長を解除した収納状態とに切換え自在になっている。
【００５３】
〔別実施例〕
【００５４】
（１）上記した実施例では、延長デバイダ３５を主デバイダ３１に取り付けて収納するよう構成した例を示したが、延長デバイダ３５を主デバイダ３１に取り付けず、運転キャビン３ａに取り込んで収納するよう構成し、あるいは機体フレーム５に取付けて収納するよう構成して実施してもよい。
【００５５】
（２）上記した実施例では、延長デバイダ３５を主デバイダ３１の使用支持部３２と収納支持部３３とに付け替える例を示したが、延長デバイダ３５を主デバイダ３１に回動自在あるいはスライド自在に支持し、延長デバイダ３５を主デバイダ３１に支持させたままで使用状態と収納状態に切換えるよう構成して実施してもよい。
【００５６】
（３）上記した実施例では、３つの収穫物搬送経路１５を備えた例を示したが、２つあるいは４つ以上の収穫物搬送経路１５を備えて実施してもよい。
【産業上の利用可能性】
【００５７】
本発明は、回収タンク７に替え、フィーダ６からのとうもろこしを処理する脱穀装置又は皮むき装置を備えたとうもろこし収穫機にも利用できる。
【符号の説明】
【００５８】
１２，１３      デバイダ部
１５            収穫物搬送経路
３１            主デバイダ
３１ａ          底面
３２            使用支持部
３３            収納支持部
３５            延長デバイダ
Ｗ              横幅
Ｈ              上下幅
３５            延長デバイダ
【図１】
2013165667.tif 000003
【図２】
2013165667.tif 000004
【図３】
2013165667.tif 000005
【図４】
2013165667.tif 000006
【図５】
2013165667.tif 000007
【図６】
2013165667.tif 000008
【図７】
2013165667.tif 000009
【図８】
2013165667.tif 000010
【図９】
2013165667.tif 000011
【図１０】
2013165667.tif 000012
【図１１】
2013165667.tif 000013
【図１２】
2013165667.tif 000014